(57)【要約】【課題】従来の光ディスク装置は、停止中に落下などの強い衝撃が加わったとき、キャリッジにより強い衝撃が加わる構成になっていた。【解決手段】光ディスクを回転させる回転駆動手段と、光ディスクに対して光を照射し情報の記録・再生の少なくとも一方を行う記録再生部と、前記記録再生部を前記回転駆動手段に対して近づく方向及び離れる方向に所定の範囲で移動可能に支持するガイド部と、前記記録再生部を前記ガイド部に沿って移動させるフィード部と、前記フィード部を制御する制御部とを備え、前記制御部は所定の指示を受けた後、前記フィード部を駆動して前記記録再生部を前記ガイド部の端部に位置させるように動作させることとした。【選択図】図３
2005116088.tif 000002
【特許請求の範囲】
【請求項１】
光ディスクを回転させる回転駆動手段と、光ディスクに対して光を照射し情報の記録・再生の少なくとも一方を行う記録再生部と、前記記録再生部を前記回転駆動手段に対して近づく方向及び離れる方向に所定の範囲で移動可能に支持するガイド部と、前記記録再生部を前記ガイド部に沿って移動させるフィード部と、前記フィード部を制御する制御部とを備え、前記制御部は所定の指示を受けた後もしくは前記制御部が所定の時間が経過したと判断した後、前記フィード部を駆動して前記記録再生部を前記ガイド部の端部に位置させるように動作させることを特徴とする光ディスク装置。
【請求項２】
所定の指示は、所定時間以上記録再生部が記録・再生の少なくとも一方を行わない状態に移行する際に制御部に送られるものであることを特徴とする請求項１記載の光ディスク装置。
【請求項３】
所定時間以上記録再生部が記録・再生の少なくとも一方を行わない状態とは、光ディスクのイジェクト状態およびスリープ状態およびスタンバイ状態であることを特徴とする請求項２記載の光ディスク装置。
【請求項４】
記録再生部をガイド部の回転駆動手段側の端部に位置させるように制御することを特徴とする請求項１記載の光ディスク装置。
【請求項５】
記録再生部をガイド部の回転駆動手段側とは反対側の端部に位置させるように制御することを特徴とする請求項１記載の光ディスク装置。
【請求項６】
端部とは、ガイド部に沿った記録再生部の移動可能範囲中、一方向しか移動できなくなる位置であることを特徴とする請求項１記載の光ディスク装置。
【請求項７】
ガイド部の少なくとも一方の端部で、ガイド部と記録再生部が当接する部分に緩衝材を介在させたことを特徴とする請求項１記載の光ディスク装置。
【請求項８】
記録再生部をガイド部の端部に位置させた後、所定の時間前記記録再生部を前記ガイド部の端部に押しつけ続けることを特徴とする請求項１記載の光ディスク装置。
【請求項９】
光ディスクを回転させる回転駆動手段と、光ディスクに対して光を照射し情報の記録・再生の少なくとも一方を行う光ピックアップを備えたキャリッジと、前記キャリッジを前記回転駆動手段の回転半径方向に移動自在に保持するガイド部と、前記キャリッジを前記ガイド部に沿って駆動するフィード部を、フレームに備えて構成されるピックアップモジュールを有し、また前記フィード部を制御する制御部とを備え、前記キャリッジは前記ガイド部に沿った所定の移動範囲を有し、前記所定の移動範囲は前記ガイド部の構成部材または前記ピックアップモジュールの構成部材の一部と前記キャリッジが当接することによって設定され、前記制御部は所定の指示を受けた後もしくは前記制御部が所定の時間が経過したと判断した後、前記フィード部を駆動して前記キャリッジを前記ガイド部の端部に位置させるように動作させることをることを特徴とする光ディスク装置。
【発明の詳細な説明】
【技術分野】
【０００１】
本発明はパーソナルコンピュータ等の電子機器に内蔵もしくは外付けで使用される光ディスク装置に関するものである。
【背景技術】
【０００２】
光ディスク装置は、オーディオ用ＣＤをはじめとして、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い光ディスク装置のパーソナルコンピュータへの内蔵普及率も高くなっている。
【０００３】
ここで、図６を用いて従来の光ディスク装置の構成を説明する。
【０００４】
図６は、従来の技術における光ディスク装置のピックアップ制御部のブロック図である。図６において、１は光ディスク、２はピックアップモジュール、３はスピンドルモータ、４は光ピックアップ、４ａは対物レンズ、５はキャリッジ、６はフィード部、６ａはエンコーダ、８は信号処理回路、９はサーボ回路、１０はコントローラ、１２はガイド部である。
【０００５】
以上のように構成された従来の技術におけるピックアップ制御部の動作について説明する。図６において、ピックアップモジュール２は、光ディスク１を回転駆動させるスピンドルモータ３と光ディスク１の情報信号を読み取るための光ピックアップ４と光ピックアップ４が搭載されたキャリッジ５をディスクの半径方向に移動させるためのフィード部６が構成されたものである。
【０００６】
信号処理回路８はピックアップモジュール２の内部に構成されるキャリッジ５中の光ピックアップ４内部の光センサ（図示せず）からの信号出力を基に、フォーカスエラー信号とトラッキングエラー信号を生成し、サーボ回路９に出力する。フォーカスエラー信号とは、光ピックアップ４に備えられた対物レンズ４ａより出射される光ビームスポットと光ディスク１の記録面との焦点方向のずれを示す。トラッキングエラー信号とは、光スポットと光ディスク１の情報トラックのディスク半径方向のずれを示す。また、信号処理回路８はトラッキングエラー信号の低域成分を取り出す事により、対物レンズ４ａとキャリッジ５の相対的な位置関係を示すレンズ位置信号を生成し、コントローラ１０に出力する。サーボ回路９はＯＮ／ＯＦＦ回路、演算回路、フィルタ回路、増幅回路等によって構成され、光ビームスポットが光ディスク１の情報トラックに追従するように対物レンズ４ａをフォーカス／トラッキング制御し、さらにトラッキングエラー信号の低域成分を用いて対物レンズ４ａが概略中立位置を保持するようにフィード制御を行う。フィード部６はエンコーダ６ａ、フィードモータ（図示せず）、ギヤ（図示せず）、スクリューシャフト（図示せず）等から構成され、フィードモータを回転させることによってキャリッジ５がガイド部１２に沿って光ディスクの半径方向に移動し、その際エンコーダ６ａよりエンコーダパルスが周期的に出力されるようになっている。コントローラ１０はこのように構成されたサーボ部の全体のコントロールを行うものである。光ディスク装置は、光ディスクの情報を読み取る場合に、まず光ディスク１内周寄りにあるＴＯＣ領域・コントロールデータ領域を読む必要がある。そのため、光ディスク１のイジェクト（トレイ排出）時やスリープ（コンピュータ等の外部からの指示を受けて最小限の制御系を除いて駆動系、制御系を停止させた状態）時やスタンバイ時（所定の不動作時間が経過したことにより、光ディスク装置が自ら最小限の制御系を除いて駆動系、制御系を停止させた状態）は、次に光ディスク１の情報を読むための動作を早く行うため、ＴＯＣ領域・コントロールデータ領域付
近に対物レンズ４ａを移動させる。イジェクト時やスリープ時など光ディスクの読み書きを停止する際に、対物レンズ４ａを所定の位置に移動させることをホームムーブと呼ぶ。
【０００７】
先行例としては、（特許文献１）等がある。
【特許文献１】特開平８―２２１７６８号公報
【発明の開示】
【発明が解決しようとする課題】
【０００８】
従来の光ディスク装置は、ディスクの回転を止めるときやイジェクト処理によってトレイを排出するときに、次に光ディスク装置を動作させるときにすばやくＴＯＣ領域を読むことが出来るように、ホームムーブとして対物レンズ４ａをＴＯＣ領域に近い位置に移動させて停止させている。しかし、従来のホームムーブ時のキャリッジ５の位置は、光ディスクの内周寄りでしかもガイド部１２に沿った移動範囲の内周側端部から若干外周側に移動した位置となっており、キャリッジ５とガイド部１２の内周側端部の間に隙間が存在する。したがってこの光ディスク装置を搭載したノートパソコン等を落下させる等、外部から強い衝撃が加わった場合、衝撃の方向によってはキャリッジ５が衝撃によってガイド部に沿って動き、ガイド部の内周側端部に衝突する。この際ガイド部１２周辺が衝撃によって変形し回復することによるガイド部１２の端部の動きとキャリッジ５の衝撃による動きの向きが逆向きで対向する場合、キャリッジ５はガイド部１２の端部との衝突によって当初の衝撃以上の衝撃を受けてしまうことがある。
【課題を解決するための手段】
【０００９】
このような課題解決する為に本発明は、光ディスクを回転させる回転駆動手段と、光ディスクに対して光を照射し情報の記録・再生の少なくとも一方を行う記録再生部と、前記記録再生部を前記回転駆動手段に対して近づく方向及び離れる方向に所定の範囲で移動可能に支持するガイド部と、前記記録再生部を前記ガイド部に沿って移動させるフィード部と、前記フィード部を制御する制御部とを備え、前記制御部は所定の指示を受けた後、前記フィード部を駆動して前記記録再生部を前記ガイド部の端部に位置させるように動作させることとした。
【発明の効果】
【００１０】
これにより、イジェクト後ディスクが取り出された状態や、光ディスク装置のスリープ中など、この光ディスク装置を搭載したノートパソコン等など電子機器を持ち運びすることが想定され、落下などによって光ディスク装置に強い衝撃が加わる可能性が想定されうる状況においては、キャリッジはガイド部による移動範囲の端部に当接されている。したがって仮に光ディスク装置に強い衝撃が加わった際、キャリッジにこの衝撃は加わるものの、キャリッジとガイド部の内周側端部との間に隙間があることによりキャリッジが衝撃によって動き、ガイド部周辺が衝撃によって変形・回復することによるガイド部端部の動きとこのキャリッジの動きが逆向きで対向することによって、衝突時キャリッジが当初の衝撃以上の衝撃を受けてしまうことを回避することが出来る。
【発明を実施するための最良の形態】
【００１１】
本発明の請求項１に記載の発明は、光ディスクを回転させる回転駆動手段と、光ディスクに対して光を照射し情報の記録・再生の少なくとも一方を行う記録再生部と、前記記録再生部を前記回転駆動手段に対して近づく方向及び離れる方向に所定の範囲で移動可能に支持するガイド部と、前記記録再生部を前記ガイド部に沿って移動させるフィード部と、前記フィード部を制御する制御部とを備え、前記制御部は所定の指示を受けた後もしくは前記制御部が所定の時間が経過したと判断した後、前記フィード部を駆動して前記記録再生部を前記ガイド部の端部に位置させるように動作させることを特徴とする光ディスク装置によって、この光ディスク装置を搭載したノートパソコン等を持ち運びすることが想定
され、落下などによって光ディスク装置に強い衝撃が加わる可能性が想定されうる状態に移行する際において、制御部の指示を受け記録再生部が移動しガイド部による移動範囲の端部に位置することにより、仮に光ディスク装置に強い衝撃が加わった際、記録再生部にこの衝撃は加わるものの、記録再生部とガイド部の端部との間に隙間があることにより記録再生部が衝撃によって動き、ガイド部周辺が衝撃によって変形・回復することによるガイド部端部の動きとこの記録再生部の動きが逆向きで対向することによって、記録再生部が当初の衝撃以上の衝撃を受けてしまうことを回避することが出来る。
【００１２】
請求項２記載の発明は、所定の指示は、所定時間以上記録再生部が記録・再生の少なくとも一方を行わない状態に移行する際に制御部に送られるものであることを特徴とする請求項１記載の光ディスク装置によって、この光ディスク装置を搭載したノートパソコン等を持ち運びすることが想定され、落下などによって光ディスク装置に強い衝撃が加わる可能性が想定されうる所定時間以上記録再生部が記録・再生の少なくとも一方を行わない状態に移行する際において、記録再生部はガイド部による移動範囲の端部に位置されており、記録再生部が当初の衝撃以上の衝撃を受けてしまうことを回避することが出来る。
【００１３】
請求項３記載の発明は、所定時間以上記録再生部が記録・再生の少なくとも一方を行わない状態とは、光ディスクのイジェクト状態およびスリープ状態であることを特徴とする請求項２記載の光ディスク装置によって、光ディスクのイジェクト後の光ディスクの無い状態やスリープ中などこの光ディスク装置を搭載したノートパソコン等を持ち運びすることが想定され、落下などによって光ディスク装置に強い衝撃が加わる可能性が想定されうる状況においては、記録再生部はガイド部による移動範囲の端部に位置されており、記録再生部が当初の衝撃以上の衝撃を受けてしまうことを回避することが出来る。
【００１４】
請求項４記載の発明は、記録再生部をガイド部の回転駆動手段側の端部に位置させるように制御することを特徴とする請求項１記載の光ディスク装置によって、この光ディスク装置を搭載したノートパソコン等を持ち運びすることが想定され、落下などによって光ディスク装置に強い衝撃が加わる可能性が想定されうる状況において記録再生部をガイド部の回転駆動手段側の端部に位置させているため、記録再生部が当初の衝撃以上の衝撃を受けてしまうことを回避することが出来る。また、この位置は光ディスクのＴＯＣ領域、コントロールデータ領域に近い為、次に光ディスクの情報を読み取ったり、光ディスクにデータを書き込んだりする際に素早い動作を行うことが出来る。
【００１５】
請求項５記載の発明は、記録再生部をガイド部の回転駆動手段側とは反対側の端部に位置させるように制御することを特徴とする請求項１記載の光ディスク装置によって、この光ディスク装置を搭載したノートパソコン等を持ち運びすることが想定され、落下などによって光ディスク装置に強い衝撃が加わる可能性が想定されうる状態に移行する際において、制御部の指示を受け記録再生部が移動しガイド部による移動範囲の端部に位置することにより、仮に光ディスク装置に強い衝撃が加わった際、記録再生部にこの衝撃は加わるものの、記録再生部とガイド部の端部との間に隙間があることにより記録再生部が衝撃によって動き、ガイド部周辺が衝撃によって変形・回復することによるガイド部端部の動きとこの記録再生部の動きが逆向きで対向することによって、記録再生部が当初の衝撃以上の衝撃を受けてしまうことを回避することが出来る。
【００１６】
請求項６記載の発明は、端部とは、ガイド部に沿った記録再生部の移動可能範囲中、一方向しか移動できなくなる位置であることを特徴とする請求項１記載の光ディスク装置によって、端部に記録再生部が位置することにより、記録再生部が当初の衝撃以上の衝撃を受けてしまうことを回避することが出来る。
【００１７】
請求項７記載の発明は、ガイド部の少なくとも一方の端部で、ガイド部と記録再生部が
当接する部分に緩衝材を介在させたことを特徴とする請求項１記載の光ディスク装置によって、端部におけるガイド部と記録再生部が当接する際の衝撃を緩衝することが出来る。
【００１８】
請求項８記載の発明は、記録再生部をガイド部の端部に位置させた後、所定の時間前記記録再生部を前記ガイド部の端部に押しつけ続けることを特徴とする請求項１記載の光ディスク装置によって、記録再生部をガイド部端部に位置させた状態をより確実にすることができる。
【００１９】
請求項９記載の発明は、光ディスクを回転させる回転駆動手段と、光ディスクに対して光を照射し情報の記録・再生の少なくとも一方を行う光ピックアップを備えたキャリッジと、前記キャリッジを前記回転駆動手段の回転半径方向に移動自在に保持するガイド部と、前記キャリッジを前記ガイド部に沿って駆動するフィード部を、フレームに備えて構成されるピックアップモジュールを有し、また前記フィード部を制御する制御部とを備え、前記キャリッジは前記ガイド部に沿った所定の移動範囲を有し、前記所定の移動範囲は前記ガイド部の構成部材または前記ピックアップモジュールの構成部材の一部と前記キャリッジが当接することによって設定され、前記制御部は所定の指示を受けた後もしくは前記制御部が所定の時間が経過したと判断した後、前記フィード部を駆動して前記キャリッジを前記ガイド部の端部に位置させるように動作させることをることを特徴とする光ディスク装置によって、この光ディスク装置を搭載したノートパソコン等を持ち運びすることが想定され、落下などによって光ディスク装置に強い衝撃が加わる可能性が想定されうる状態に移行する際において、制御部の指示を受けキャリッジが移動しガイド部による移動範囲の端部に位置することにより、仮に光ディスク装置に強い衝撃が加わった際、キャリッジにこの衝撃は加わるものの、キャリッジとガイド部の端部との間に隙間があることによりキャリッジが衝撃によって動き、ガイド部周辺が衝撃によって変形・回復することによるガイド部端部の動きとこのキャリッジの動きが逆向きで対向することによって、キャリッジが当初の衝撃以上の衝撃を受けてしまうことを回避することが出来る。
【００２０】
以下、発明を実施するための最良の形態について図を用いて説明する。
【００２１】
（実施の形態１）
図１は本発明の実施の形態における光ディスク装置のピックアップ制御部のブロック図、図２は本発明の実施の形態における光ディスク装置のピックアップモジュールのホームムーブ時の外観図、図３は本発明の実施の形態における光ディスク装置のイジェクト時、スリープ移行時の動作を示すフローチャート、図４は本発明の実施の形態における光ディスク装置のトレイを閉めた時の動作を示すフローチャート、図５は本発明の別の実施の形態における光ディスク装置のピックアップモジュールのホームムーブ時の外観図である。
【００２２】
以上のように構成された本発明の実施の形態におけるピックアップ制御部の動作について説明する。図１、図２において、ピックアップモジュール２は、フレーム２ａに、光ディスク１を装着し回転駆動させるスピンドルモータ３と、光ディスク１の信号情報を読み取るか光ディスク１に信号情報を書き込むかの少なくとも一方を行う光ピックアップ４と、光ピックアップ４が搭載されたキャリッジ５を光ディスク１の半径方向に移動自在に保持するガイド部１２と、キャリッジ５をガイド部１２に沿って光ディスク１の半径方向に駆動するフィード部６が構成されている。
【００２３】
信号処理回路８は光ピックアップ４内部の光センサ５ａからの信号出力を基に、フォーカスエラー信号とトラッキングエラー信号を生成し、コントローラ１０での光ディスク有無判断や、サーボ回路９に出力する。フォーカスエラー信号とは、光ピックアップ４に備えられた対物レンズ４ａより出射される光ビームスポットと光ディスク１の記録面との焦点方向のずれを示す。トラッキングエラー信号とは、前記光スポットと光ディスク１の情
報とラックのディスク半径方向のずれを示す。サーボ回路９はＯＮ／ＯＦＦ回路、演算回路、フィルタ回路、増幅回路等によって構成され、光ビームスポットが光ディスク１の情報トラックに追従するように対物レンズをフォーカス／トラッキング制御し、さらにトラッキングエラー信号の低域成分を用いて対物レンズ４ａが概略中立位置を保持するようにフィード制御を行う。また、コントローラ１０からの司令により制御のＯＮ／ＯＦＦが可能となっているほか、フィード制御駆動値に一定時間の加算値を与えることができる構成となっている。
【００２４】
ガイド部１２は、キャリッジ５に設けられた貫通孔に貫通させ、キャリッジ５を摺動させることによって移動自在に保持するガイドシャフト１２ａとこれを保持する支持部１２ｂによって構成される。支持部１２ｂは光ディスクの内周側にある支持部の内周側１２ｃと光ディスクの外周側にある支持部の外周側１２ｄから構成される。
【００２５】
フィード部６はエンコーダ６ａ、フィードモータ６ｂ、ギヤ群６ｃ、スクリューシャフト６ｄ等から構成される。フィードモータ６ｂを回転させることによってギヤ群６ｃを介してスクリューシャフト６ｄを回転させ、スクリューシャフト６ｄとラック６ｅによって、キャリッジ５をガイドシャフト１２ａに沿ってガイド部１２による移動範囲を光ディスクの半径方向に駆動する。フィードモータ６ｂの回転に伴い、エンコーダ６ａよりエンコーダパルスが出力され、このエンコーダパルスをカウントすることにより、キャリッジ５の移動距離を測定する。
【００２６】
コントローラ１０は、イジェクトスイッチ１１の信号によりトレイの排出の指令を出したり、エンコーダ６ａからのパルスエッジのカウント動作を行うと同時にレンズ位置信号をモニタし、エンコーダパルスとレンズ位置信号に応じて、フィード部６の動作をＯＮ／ＯＦＦ制御したり、フィード制御部に加算値を与える操作を行い、サーボ部の全体のコントロールを行う。
【００２７】
次に図３を用いて本発明の実施の形態におけるイジェクト時、スリープ時の動作を説明する。まず、光ディスク装置が動作しているときに、イジェクトスイッチＯＮを検出（Ｓ１）または、スリープ命令（Ｓ２）が入ると、サーボ制御を止める（Ｓ３）。次にスピンドルモータ３を減速させ（Ｓ４）、エンコーダパルスをモニタしながらキャリッジ５を内周方向に移動させる（Ｓ５）。キャリッジ５がスピンドルモータ３側に当接され停止すると、フィードモータ６ｂの回転は停止し、エンコーダ６ａはエンコーダパルスを停止する。コントローラ１０はエンコーダパルスの停止を検出して（Ｓ６）スピンドルモータ３を停止させ（Ｓ７）、トレイを排出（Ｓ８）させるかスリープ状態（Ｓ９）にする。このような動作によって、イジェクトやスリープに移行しスピンドルモータ３の回転が停止する際は、キャリッジ５は移動範囲の内周側端部に押し付けられた位置に移動する。なお、所定の時間、不動作状態が続くとコントローラ１０の判断でスタンバイ状態に移行するが、この場合もスリープ命令（Ｓ２）が入った場合と同様に（Ｓ３）〜（Ｓ７）の制御を順次行なう。
【００２８】
図４を用いて本発明の実施の形態におけるトレイを閉めた時の動作を説明する。まず、前記したイジェクト処理後、トレイを閉めた時（Ｓ１１）、ピックアップモジュール２の初期調整を行い（Ｓ１２）、光ディスク１の判別を行う（Ｓ１３）。光ディスク１がスピンドルモータ３に装着されていれば、キャリッジ５を移動して対物レンズ４ａをＴＯＣ領域・コントロールデータ領域に移動させて（Ｓ１５）サーボ制御を開始し（Ｓ１６）、光ディスク１の情報を読み取りまたは光ディスク１への情報の書き込みを行う。光ディスク１がスピンドルモータ３に装着されていなければ、スリープ状態に落ちる（Ｓ１４）。この際、光ディスク１の判別（Ｓ１３）をキャリッジ５を移動しないで行った場合は、キャリッジ５を移動範囲の内周側端部に当接した状態を維持するが、光ディスク１の判別（Ｓ
１３）をキャリッジ５を移動させて行った場合は、キャリッジ５を再び移動範囲の内周側端部に当接した状態にもどす。
【００２９】
以上のように、イジェクトによってディスクが装着されていない状態に移行する場合や、スリープに移行する場合など、所定の時間以上光ディスクからデータを読み取ったり光ディスクにデータを書き込んだりしない状態に移行する場合において、ホームムーブとしてキャリッジ５を内周側に移動させ移動範囲の内周側端部に当接させた状態にて停止させる。このようにすることによって、この光ディスク装置を搭載したノートパソコン等を落とす等外部から強い衝撃が加わった場合キャリッジ５に衝撃が加わるが、前述した従来の技術のようにキャリッジ５とガイド部１２の移動範囲の内周側端部間に隙間があることによりキャリッジ５が衝撃によって動き、逆向きで対向して動くガイド部端部と衝突し、より強い衝撃がキャリッジ５に加わることを回避することができる。
【００３０】
なお、ホームムーブとしてキャリッジ５を内周側に移動させ移動範囲の内周側端部に当接させた後、再び光ディスクからデータを読み取ったり光ディスクにデータを書き込んだりするまでの期間はキャリッジ５は駆動しないが、この期間もしくはこの期間内の所定の期間、フィードモータ６ｂを所定のトルクで駆動し、キャリッジ５を移動範囲の内周側端部に押し付け続けるものであってもよい。こうすることによって、キャリッジ５を内周側端部に当接させた状態をより確実にすることができる。
【００３１】
なお、外部からの衝撃の向きによってはキャリッジ５が衝撃によって移動範囲の外周側向きに移動することもあるが、この場合キャリッジ５は移動範囲の外周側に衝突する前にフィード部６各部の抵抗により停止するため、キャリッジ５が衝突による衝撃を受けることはない。
【００３２】
本実施の形態ではキャリッジ５は最内周でガイド部６ｇの端部にある支持部６ｈの内周側６ｉと当接するが、スピンドルモータ３の外周部３ａと当接する構成であってもよい。
【００３３】
また、ガイド部６ｇの当接する部分もしくはスピンドルモータ３の外周部３ａの当接する部分あるいはキャリッジ５の当接する部分にゴムなどの緩衝物を取り付けるなどよって、当接する部分に緩衝物を介在させる構成であってもよい。この場合、キャリッジ５を当接させたときの衝撃を低減することができる。
【００３４】
図５に示す別の実施の形態においては、イジェクトやスリープなどディスクが装着されていない状態に移行する場合など、所定の時間以上光ディスクからデータを読み取ったり光ディスクにデータを書き込んだりしない状態に移行する場合において、ホームムーブとしてキャリッジ５を外周側に移動させ移動範囲の外周側端部に当接させた位置にて停止させる。この場合、イジェクト時、スリープ時の動作を示すフローチャート、トレイを閉めた時の動作を示すフローチャートは、ホームムーブ時にキャリッジ５を外周側に移動させ移動範囲の外周側端部に当接させた位置にて停止させる点を除いては、図３、図４に示す先の実施の形態と同等である。
【００３５】
このようにすることによって、この光ディスク装置を搭載したノートパソコン等を落とす等外部から強い衝撃が加わった場合キャリッジ５に衝撃が加わるが、先の実施の形態と同様に、衝突時キャリッジ５が当初の衝撃以上の衝撃を受けてしまうことを回避することが出来る。
【００３６】
なお、外部からの衝撃の向きによってはキャリッジ５が衝撃によって移動範囲の内周側向きに移動することもあるが、この場合キャリッジ５は移動範囲の内周側端部に衝突する前にフィード部６各部の摩擦抵抗等により停止するため、キャリッジ５が衝突による衝撃
を受けることはない。
【００３７】
本実施の形態ではキャリッジ５は最外周でガイド部６ｇの端部にある支持部６ｈの外周側６ｊと当接するが、フレーム２ａのキャリッジ５と対向する部分２ｂと当接する構成であってもよい。また、ガイド部６ｇの当接する部分もしくはフレーム２ａのキャリッジ５と対向する部分２ｂの当接する部分、あるいはキャリッジ５の当接する部分にゴムなどの緩衝物を取り付けるなどよって、当接する部分に緩衝物を介在させる構成であってもよい。この場合、キャリッジ５を当接させたときの衝撃を低減することができる。
【産業上の利用可能性】
【００３８】
本発明の光ディスク装置は、電子機器に内蔵もしくは外付けで接続されて使用される光ディスク装置に適用でき、特にノートパソコン等など持ち運び可能な電子機器に搭載される光ディスク装置に適用できる。
【図面の簡単な説明】
【００３９】
【図１】本発明の実施の形態における光ディスク装置のピックアップ制御部のブロック図
【図２】本発明の実施の形態における光ディスク装置のピックアップモジュールのホームムーブ時の外観図
【図３】本発明の実施の形態における光ディスク装置のイジェクト時、スリープ時の動作を示すフローチャート
【図４】本発明の実施の形態における光ディスク装置のトレイを閉めた時の動作を示すフローチャート
【図５】本発明の別の実施の形態における光ディスク装置のピックアップモジュールのホームムーブ時の外観図
【図６】従来の技術における光ディスク装置のピックアップ制御部のブロック図
【符号の説明】
【００４０】
１    光ディスク
２    ピックアップモジュール
２ａ    フレーム
２ｂ    フレームのキャリッジと対向する部分
３    スピンドルモータ
３ａ    スピンドルモータの外周部
４    光ピックアップ
４ａ    対物レンズ
５    キャリッジ
５ａ    光センサ
６    フィード部
６ａ    エンコーダ
６ｂ    フィードモータ
６ｃ    ギヤ群
６ｄ    スクリューシャフト
６ｅ    ラック
８    信号処理回路
９    サーボ回路
１０    コントローラ
１１    イジェクトスイッチ
１２    ガイド部
１２ａ    ガイドシャフト
１２ｂ    支持部
１２ｃ    支持部の内周側
１２ｄ    支持部の外周側
【図１】
2005116088.tif 000003
【図２】
2005116088.tif 000004
【図３】
2005116088.tif 000005
【図４】
2005116088.tif 000006
【図５】
2005116088.tif 000007
【図６】
2005116088.tif 000008